(57)【要約】【課題】それぞれの面に異なる仕様の記録面を設け、利便性の向上を図る。【解決手段】光透過性の基板１２と、この基板１２上に形成される第１の反射層１３と、この第１の反射層１３上に形成される第１の保護層１４とを有する第１の記録担体１１と、光透過性のカバー１７と、このカバー１７上に形成される第２の反射層１９と、この第２の反射層１９上に形成される第２の保護層２０とを有する第２の記録担体１６とを備え、第１の記録担体１１と第２の記録担体１６は、第１の保護層１４と第２の保護層１４とが接着層２１を介して接合される。第１の記録担体１１と第２の記録担体１６とが接合された全体の厚さが１．４ｍｍ以下であると共に、第１の記録担体１１の光透過性の基板の厚さが１．１ｍｍ以上とされる。【選択図】  図２
2005018859.tif 000002
【特許請求の範囲】
【請求項１】
光透過性の基板と、この基板上に形成される第１の反射層と、この第１の反射層上に形成される第１の保護層とを有する第１の記録担体と、
光透過性のカバーと、このカバー上に形成される第２の反射層と、この第２の反射層上に形成される第２の保護層とを有する第２の記録担体とを備え、
上記第１の記録担体と上記第２の記録担体は、上記第１の保護層と上記第２の保護層とが接着層を介して接合され、
上記第１の記録担体と上記第２の記録担体とが接合された全体の厚さが１．４ｍｍ以下であると共に、上記第１の記録担体の光透過性の基板の厚さが１．１ｍｍ以上である両面光ディスク。
【請求項２】
上記第１の記録担体は、光透過性の基板の一方の面には、第１の凹凸パターンが形成され、この第１の凹凸パターン上に上記第１の反射層と上記第１の保護層が形成されてなり、
上記第２の記録担体は、上記カバーに第２の凹凸パターンが形成され、この第２の凹凸パターン上に上記第２の反射層と上記第２の保護層が形成されてなる請求項１記載の両面光ディスク。
【請求項３】
第１の記録担体は、上記第１の保護層の一方の面に第１の印刷層が形成されると共に、上記第１の反射層が、特定の第１の波長のレーザ光に限って高い反射率を有し、
上記第２の記録担体は、上記第２の保護層の一方の面に第２の印刷層が形成されると共に、上記第２の反射層が、特定の第２の波長のレーザ光に限って高い反射率を有する請求項１記載の両面光ディスク。
【請求項４】
上記第１の記録担体の光透過性の基板の厚さが１．３ｍｍ以下である請求項１記載の両面光ディスク。
【請求項５】
上記第１の記録担体と上記第２の記録担体の少なくとも何れか一方が再生専用型であり、他方が記録型であり、
上記再生専用の記録担体は、記録するデータに応じたピットパターンが上記第１の凹凸パターン又は第２の凹凸パターンとして、上記基板又は上記カバーに形成され、
上記記録型の記録担体は、トラックパターンが上記第１の凹凸パターン又は第２の凹凸パターンとして、上記基板又は上記カバーに形成され、このトラックパターン上に、記録層が形成されている請求項２記載の両面光ディスク。
【請求項６】
上記第１の記録担体と上記第２の記録担体は、共に、再生専用型であり、
記録するデータに応じたピットパターンが上記第１の凹凸パターン又は第２の凹凸パターンとして、上記基板又は上記カバーに形成されている請求項２記載の両面光ディスク。
【請求項７】
上記第１の記録担体と上記第２の記録担体とは、共に、記録型であり、
トラックパターンが上記第１の凹凸パターン又は第２の凹凸パターンとして、上記基板又は上記カバーに形成され、このトラックパターン上に、記録層が形成されている請求項２記載の両面光ディスク。
【請求項８】
上記第１の記録担体と上記第２の記録担体とは、同じコンテンツデータが記録されている請求項６記載の両面光ディスク。
【請求項９】
上記第２の記録担体に記録されたコンテンツデータは、総データ量が第１の記録担体に記録されたコンテンツデータより大きい請求項８記載の両面光ディスク。
【請求項１０】
上記第１の記録担体には、標準画質の映像データが記録され、第２の記録担体には、ＨＤ（Ｈｉｇｈ  Ｄｅｆｉｎｉｔｉｏｎ）画質の映像データが記録されている請求項９記載の両面光ディスク。
【請求項１１】
上記第１の記録担体には、第１の圧縮率で圧縮されたコンテンツデータが記録され、上記第２の記録担体には、上記第１の圧縮率より高い第２の圧縮率で圧縮されたコンテンツデータが記録される請求項９記載の両面光ディスク。
【請求項１２】
厚さが１．１ｍｍ以上の光透過性の基板の基板を形成し、この基板上に第１の反射層を形成し、この第１の反射層上に第１の保護層を形成して上記第１の記録担体を形成するステップと、
光透過性のカバーを形成し、このカバー上に第２の反射層を形成し、この第２の反射層上に第２の保護層を形成して第２の記録担体を形成するステップと、
上記第１の記録担体の第１の保護層と上記第２の記録担体の第２の保護層とを接着層によって、全体の厚さが１．４ｍｍ以下となるように接合するステップとを有する両面光ディスクの製造方法。
【発明の詳細な説明】
【０００１】
【発明の属する技術分野】
本発明は、第１の記録担体と第２の記録担体を接合して各面を信号記録面とし、光学的に記録再生を行うことができる両面光ディスク及びこの両面光ディスクの製造方法に関する。
【０００２】
【従来の技術】
レーザ光の照射により情報の記録・再生を行う光ディスクとしては、再生専用のコンパクトディスク（ＣＤ―ＤＡ、ＣＤ−ＲＯＭ）、追記型コンパクトディスク（ＣＤ−Ｒ）、書換型コンパクトディスク（ＣＤ−ＲＷ）等の各種媒体がある。これらのディスクは何れも直径１２０ｍｍ、厚さ約１．２ｍｍの基板からなり、略７８０ｎｍのレーザ光により記録再生を行うようになされている。
【０００３】
また、光ディスクとしては、コンパクトディスクの他に、ディジタルバーサタイルディスク（ＤＶＤ）がある。このＤＶＤは、コンパクトディスクと同じ直径１２０ｍｍのディスクに現行テレビ並みの画質で映画１本を納めることができる。このＤＶＤは、記録容量をコンパクトディスクの６〜８倍まで高める必要があるため、コンパクトディスク等で用いられているレーザ光より短い６３５〜６５０ｎｍの波長のレーザ光を用いて記録再生を行う。ＤＶＤは、コンパクトディスクが単板であるのに対して、０．６ｍｍの基板を貼り合わせて構成されている。再生専用のＤＶＤでは、記録面が設けられた２枚の基板を貼り合わせて両面を信号記録面としたものと、信号記録面を設けた基板と信号記録面が設けられていないダミー基板とを貼り合わせた信号記録面が片面のものとがある（特許文献１参照）。
【０００４】
更に、コンパクトディスクやＤＶＤと同様に直径１２０ｍｍの光ディスクとして、ハイビジョンテレビの画質で映画１本を納めることが可能な所謂ブルーレイ・ディスク（Ｂｌｕ−ｒａｙ  Ｄｉｓｃ）が提案されている。このブルーレイ・ディスクには、記録容量が２３．３Ｇバイト、２５Ｇバイト、２７Ｇバイトの３つのタイプがある。このブルーレイ・ディスクでは、ＤＶＤより更に短い波長が４０５ｎｍのレーザ光を用いる。また、このブルーレイ・ディスクは、厚さ１．１ｍｍのディスク基板上に記録層、反射層を積層し、更に最上層に０．１ｍｍの透明なカバー層を設けることによってチルトマージンを確保する構造になっている。
【０００５】
また、上述したＤＶＤのように、両面を信号記録面とした光ディスクは、各面に当該光ディスクに関連した情報を記載するための印刷層を最上層に設けることができない。そこで、各基板の保護層に隣接して印刷層を設けたものがある（特許文献２参照）。
【０００６】
【特許文献１】
特開平８−２３５６４１号公報
【特許文献２】
特開平９−２７４７３８号公報
【０００７】
【発明が解決しようとする課題】
以上のように、コンパクトディスク、ＤＶＤ、ブルーレイ・ディスクといった複数種類の光ディスクが混在しており、これらの光ディスクは、仕様が異なり、共通の記録再生装置で記録再生することはできない。すなわち、ＤＶＤやコンテンツデータを再生する再生装置では、ブルーレイ・ディスクを再生することができず、ブルーレイ・ディスクの再生装置では、コンパクトディスクやＤＶＤを生成することができない。
【０００８】
本発明は、以上のような問題点に鑑みてなされたものであり、その目的は、それぞれの面に異なる仕様の記録面を設け、利便性の向上を図ることができる両面光ディスク及びこの両面光ディスクの製造方法を提供することにある。
【０００９】
また、本発明の他の目的は、両面に信号記録面を設けたときに、内層に記録内容をユーザが視認できるよな印刷層を設けることで、使い勝手を良くすることができる両面光ディスク及びこの両面光ディスクの製造方法を提供することにある。
【００１０】
【課題を解決するための手段】
本発明に係る両面光ディスクは、上述した課題を解決すべく、光透過性の基板と、この基板上に形成される第１の反射層と、この第１の反射層上に形成される第１の保護層とを有する第１の記録担体と、光透過性のカバーと、このカバー上に形成される第２の反射層と、この第２の反射層上に形成される第２の保護層とを有する第２の記録担体とを備え、第１の記録担体と第２の記録担体は、第１の保護層と第２の保護層とが接着層を介して接合されてなる。ここで、この両面光ディスクは、第１の記録担体と第２の記録担体とが接合された全体の厚さが１．４ｍｍ以下であると共に、第１の記録担体の光透過性の基板の厚さが１．１ｍｍ以上である。
【００１１】
なお、第１の記録担体は、第１の保護層の一方の面に第１の印刷層が形成されると共に、第１の反射層が、特定の第１の波長のレーザ光に限って高い反射率を有し、第２の記録担体は、第２の保護層の一方の面に第２の印刷層が形成されると共に、第２の反射層が、特定の第２の波長のレーザ光に限って高い反射率を有するようにし、内層の印刷層を外部から視認できるようにしてもよい。
【００１２】
以上のような両面光ディスクの製造方法は、厚さが１．１ｍｍ以上の光透過性の基板の基板を形成し、この基板上に第１の反射層を形成し、この第１の反射層上に第１の保護層を形成して第１の記録担体を形成するステップと、光透過性のカバーを形成し、このカバー上に第２の反射層を形成し、この第２の反射層上に第２の保護層を形成して第２の記録担体を形成するステップと、第１の記録担体の第１の保護層と第２の記録担体の第２の保護層とを接着層によって、全体の厚さが１．４ｍｍ以下となるように接合するステップとを有する。
【００１３】
例えば、第１の記録担体と第２の記録担体が共に再生専用型であるとき、第１の記録担体と第２の記録担体には、同じコンテンツデータを記録する。このとき、第２の記録担体には、第１の記録担体より総データ量が大きいデータが記録される。例えば、第１の記録担体に標準画質映像データを記録し、第２の記録担体に高精細なＨＤ（Ｈｉｇｈ  Ｄｅｆｉｎｉｔｉｏｎ）画質の映像データを記録する。また、第１の記録担体に、高圧縮率のデータを記録し、第２の記録担体に低圧縮率のデータを記録する。
【００１４】
【発明の実施の形態】
以下、本発明を適用した両面光ディスクについて、図面を参照して説明する。図１に示すように、ここで説明する両面光ディスク１は、一方の面に、コンパクトディスク規格に対応した記録面が設けられ、他方の面に、ブルーレイ・ディスク規格に対応した記録面が設けられている。図１に示すように、両面光ディスク１は、中央部にセンタ孔２が形成され、このセンタ孔２の周囲に、クランプ部３が形成されている。更に、両面光ディスク１の各面には、クランプ部３の外周側に、信号記録領域として、内周から外周側にＴＯＣデータ等が記録されるリードインエリア４ａ、プログラムが記録されるプログラムエリア４ｂ、プログラムエリア４ｂの終了を示すリードアウトエリア４ｃが順に形成されている。
【００１５】
この両面光ディスク１の層構造について説明すると、図２に示すように、両面光ディスク１は、コンパクトディスク規格に準拠してデータが記録される第１の記録担体１１と、ブルーレイ・ディスク規格に準拠してデータが記録される第２の記録担体１６とを接着層２１で貼り合わせて構成されている。
【００１６】
コンパクトディスク規格に準拠してデータが記録される第１の記録担体１１は、ここでは、再生専用型である。第１の記録担体１１の一方の面は、記録するデータに対応したピットパターン１２ａが標準的な記録密度となるように形成され、他方の面は、レーザ光の入射する面となるディスク基板１２と、このピットパターン１２ａ上に形成される第１の反射層１３と、この第１の反射層１３上に形成される第１の保護層１４とが設けられている。
【００１７】
ディスク基板１２は、ポリカーボネート樹脂等の光透過性の合成樹脂基板であり、射出成形により形成される。なお、ディスク基板１２の材料は、この他に、ポリメタクリル酸メチル樹脂、アクリル樹脂、エポキシ樹脂、ＡＢＳ樹脂等に代表される樹脂や、ガラス等を用いてもよい。このディスク基板１２の一方の面には、記録するデータに対応した凹凸のピットパターン１２ａが形成されている。このピットパターン１２ａは、射出成型時、成形金型内に配設されたマスタスタンパの凹凸パターンが転写されることによって形成される。このディスク基板１２の厚さは、１．１ｍｍ〜１．４ｍｍ、好ましくは１．２ｍｍに形成される。コンパクトディスク規格では、全体の厚みが１．１ｍｍ〜１．５ｍｍとされている。そこで、ここで用いるディスク基板１２の厚さの下限は、コンパクトディスク規格に準じて１．１ｍｍであり、上限は、後述するブルーレイ・ディスク規格でブルーレイ・ディスクの全体の厚さが１．４ｍｍを超えないことが規定されており、カバー層の厚さが略０．１ｍｍであるため、この分を減じた１．４ｍｍとされる。
【００１８】
第１の反射層１３は、ディスク基板１２側から入射されたレーザ光を反射するピットパターン１２ａ上に形成される膜であり、その膜厚は、コンパクトディスク規格で規定される反射率を満足する厚さとされ、例えば、０．０２μｍ〜０．５μｍである。第１の反射層１３は、Ａｌ、Ａｇ又は、Ａｇを主成分とする合金で形成されるが、これらの元素に特に限定されるものではない。また、合金中のＡｇの組成比率も特に限定はされない。第１の反射層１３は、真空蒸着、スパッタリング及びイオンプレーティング等の製膜方法によって形成することができる。
【００１９】
第１の反射層１３上に形成される第１の保護層１４は、第１の反射層１３を保護するためのものである。第１の保護層１は、第１の反射層１３上に、０．１μｍ〜１００μｍ、好ましくは２μｍ〜２０μｍの厚さに形成される。第１の保護層１４としては、紫外線硬化性樹脂（例えば紫外線硬化性アクリル樹脂、紫外線硬化性エポキシ樹脂）、シリコーン系ハードコート樹脂等の有機材料やＳｉＯ、ＳｉＮ、ＡｌＮ等の無機材料を使用することができる。第１の保護層１４は、スピンコート、グラビア塗布、スプレーコート、ロールコート等通常の方法により形成することができる。
【００２０】
なお、第１の記録担体１１を再生専用とするのではなく、追記型とするときには、ランド／グルーブパターンが形成されたディスク基板１２の一方の面上に、有機色素材料等でなる追記型の記録層を形成し、この記録層上に第１の反射層１３を形成すればよい。更に、書換型とするときには、ランド／グルーブパターンが形成されたディスク基板１２の一方の面上に、相変化材料等でなる書換型の記録層を形成し、この記録層上に第１の反射層１３を形成すればよい。
【００２１】
また、ブルーレイ・ディスク規格に準拠してデータが記録される第２の記録担体１６は、記録型である。第２の記録担体１６の一方の面は、凹凸パターン１７ａが形成され、他方の面は、レーザ光が入射する面となるカバー１７と、このカバー１７の凹凸パターン１７ａ上に形成される記録層１８と、この記録層１８上に形成される第２の反射層１９と、この第２の反射層１９上に形成される第２の保護層２０とが設けられている。この第２の記録担体１６は、コンパクトディスクやＤＶＤより高密度にデータが記録される。
【００２２】
カバー１７は、光透過性を有するフィルム状のものであり、第２の記録担体１６を形成する際の基材となる。カバー１７は、例えば射出成形により形成され、一方の面に、ランド／グルーブで構成されたトラッキング等の制御用パターンとなる凹凸パターン１７ａが形成されている。このカバー１７は、レーザ光の光軸の傾きであるチルトマージンを確保するため厚さが０．１ｍｍに形成されている。なお、凹凸パターン１７ａは、射出成形でマスタスタンパ３２の凹凸パターンを転写して形成する他に、厚さが略０．１ｍｍの光透過性のフィルムの一方の面にスクリーン印刷、パッド印刷等の印刷技術によって形成してもよい。
【００２３】
凹凸パターン１７ａ上に形成される記録層１８は、例えば、スピンコート法により２０ｎｍ〜２００ｎｍの膜厚に形成され、書換型とするとき、例えば相変化材料で形成され、追記型とするとき、例えば有機色素材料が用いられる。
【００２４】
追記型の記録層に使用する有機色素材料としては、シアニン系色素、スクアリリウム系色素、クロコニウム系色素、アズレニウム系色素、トリアリールアミン系色素、アントラキノン系色素、含金属アゾ系色素、ジチオール金属錯塩系色素、インドアニリン金属錯体系色素、フタロシアニン系色素、ナフタロシアニン系色素、分子間ＣＴコンプレックス系色素等がある。本発明の色素を含有する記録層は、これらの色素を単独もしくは、併用して用いてもよい。また、これら有機色素以外に、酸化防止剤、ジチオール錯体等のクエンチャー、ニトロセルロース、酢酸セルロース、ケトン樹脂、アクリル樹脂、ポリビニルブチラール、ポリカーボネート、ポリオレフィン等のバインダー等を添加してもよい。また、書換型の記録層に使用する相変化材料としては、誘電体層で保護されたＧｅＳｂＴｅ系、ＩｎＳｂＴｅ系、ＡｇＩｎＳｂ系等を使用するができる。
【００２５】
第２の保護層２０は、ブルーレイ・ディスク規格で全体の厚さ１．４ｍｍを超えないように規定されている。すなわち、両面光ディスク１では、ディスク全体の厚みをこの規定の範囲内に収めなければならない。これを満たすために、第２の保護層２０の厚さは、ブルーレイ・ディスク規格の厚さより薄く形成される。なお、第２の保護層２０のその他の部分及び第２の反射層１９は、上述した第１の保護層１４及び第１の反射層１３と同じであるため説明は省略する。また、第２の記録担体１６は、再生専用とすることができる。この際には、記録するデータに対応したピットパターンをカバー１７の一方の面に設け、この上層に、第２の反射層１９、第２の保護層２０を順次設けるようにすればよい。
【００２６】
以上のように構成される第１の記録担体１１と第２の記録担体１６は、互いの保護層１４，２０を対向させて接着層２１によって一体的に接合される。接着層２１は、例えば第１の記録担体１１と第２の記録担体１６とを光学的に分離する機能も有する。更に、第１の記録担体１１と第２の記録担体１６を接合したとき、全体の厚さが、ブルーレイ・ディスク規格で規定されたブルーレイ・ディスクの全体の厚さ１．４ｍｍを超えない厚さとされる。
【００２７】
すなわち、この例では、ディスク全体の厚みについて、コンパクトディスク規格とブルーレイディスク規格のうち、ディスク全体の厚みの許容範囲が狭いほうの値である１．４ｍｍを採用する。そして、第２の記録媒体１６は、ブルーレイ規格に基づいて構成され、その厚さはほぼ０．１ｍｍとされる。一方、第１の記録媒体１１は、コンパクトディスク規格に基づいて構成され、ディスク基板１２の厚みは、１．１ｍｍ〜１．３ｍｍとされる。したがって、上記の条件を満足するような厚みになるように、ディスク基板１２の厚みを設計すればコンパクトディスク規格及びブルーレイディスクの双方を満足した両面ディスクを構成することが可能となる。
【００２８】
以上のように構成された両面光ディスク１の記録再生方法について説明する。第１の記録担体１１に記録されたコンパクトディスク規格に準拠したデータを再生するときには、ディスク基板１２側の面が光ピックアップの対物レンズ２２と対向される。光ピックアップは、波長が略７８０ｎｍのレーザ光を出射する光源、開口数が０．４５の対物レンズ２２、第１の反射層１３で反射した戻りのレーザ光を検出する光検出器等を備える。光ピックアップは、光源より出射したレーザ光を対物レンズ２２で集光し、第１の反射層１３で反射された戻りのレーザ光を光検出器で検出することによって、第１の記録担体１１に標準的な記録密度で記録されているデータの読み出しを行う。なお、第１の記録担体１１が記録層を有するときに、データを追記又は書換するときには、再生時より高出力のレーザ光を出射して、データが標準的な記録密度で記録層に記録される。
【００２９】
また、第２の記録担体１６に記録されたブルーレイ・ディスク規格に準拠したデータを再生するときには、カバー１７側の面が光ピックアップの対物レンズ２３と対向される。光ピックアップは、波長が略４０５ｎｍのレーザ光を出射する光源、開口数が０．８５の対物レンズ２３、第２の反射層１９で反射した戻りのレーザ光を検出する光検出器等を備える。光ピックアップは、光源より出射したレーザ光を対物レンズ２３で集光し、第２の反射層１９で反射された戻りのレーザ光を光検出器で検出することによって、第２の記録担体１６に高密度記録されているデータの読み出しを行う。光ピックアップは、記録層１８にデータを記録するときには、再生時より高出力のレーザ光を出射し、記録層１８にデータ高密度記録する。
【００３０】
次に、以上のように構成された両面光ディスク１の製造方法について、図３（Ａ）〜図３（Ｃ）及び図４（Ａ）〜図４（Ｃ）を参照して説明する。先ず、第１の記録担体１１を構成するディスク基板１２は、ポリカーボネート樹脂等の光透過性の合成樹脂を射出成形することにより成形される。具体的に、ディスク基板１２は、図３（Ａ）に示すように、可動金型と固定金型からなる成形金型の一方に、記録するデータに対応した凹凸パターン３１ａが時計方向又は反時計方向に螺旋状又は同心円状に形成されたマスタスタンパ３１を配設し、キャビティ内に樹脂材料を射出充填することにより、ディスク基板１２の一方の面にこの凹凸パターン３１ａが転写されて形成される。
【００３１】
ここで、ディスク基板１２にピットパターン１２ａを形成するため成形金型の一方に配設されるマスタスタンパ３１について説明する。マスタスタンパ３１は、所望の製品（レプリカ（ｒｅｐｌｉｃａ）：量産するディスク）とは逆の凹凸の形状が刻まれている金型であり、ニッケル（Ｎｉ）材料等で作製されている。このマスタスタンパ３１は、例えば鏡面を有するガラス基板上にフォトレジストを塗布し、これに記録するデータに応じてオン・オフ等の光変調がなされたレーザ光を回転するガラス基板に照射し、レーザ光をガラス基板の半径方向に相対的に移動走査してパターン露光を行う。次いで、このフォトレジストを現像してパターン露光に応じた凹凸パターンを形成し、これの上に金属メッキ例えば銀メッキを行ってディスクマスタを作製する。そして、ディスクマスタ上にメタル、例えばニッケルメッキを施し、上述したディスクマスタの凹凸が反転した凹凸パターンが表面に形成されたメタルマスクを形成し、このメタルマスクの凹凸パターン上に例えばニッケルメッキを行うことによって、メタルマスクの凹凸パターンが反転した凹凸パターンを有するマザーを形成する。更にこれをもとに同様にメッキによってこのマザーの凹凸パターンを反転することによって作成する。
【００３２】
成形金型を用いて射出成形により形成されたディスク基板１２は、上述のように、１．１ｍｍ〜１．４ｍｍ、好ましくは１．２ｍｍに形成される。ここでは、射出成形を用いることで、薄いディスク基板１２を容易に且つ高精度に作成することができる。
【００３３】
図３（Ｂ）に示すように、射出成形により凹凸のピットパターン１２ａが一方の面に形成されたディスク基板１２には、更に、ピットパターン１２ａ上に、Ａｌ等で構成された第１の反射層１３が例えば、０．０２μｍ〜０．５μｍの厚さに形成される。ここで、第１の反射層１３は、真空蒸着、スパッタリング及びイオンプレーティング等の製膜方法によって形成される。
【００３４】
なお、記録層を形成するときには、ディスク基板１２のピットパターン１２ａ上に記録層を形成した後に、この第１の反射層１３が形成される。
【００３５】
図３（Ｃ）に示すように、第１の反射層１３上には、第１の保護層１４が形成される。この第１の保護層１４は、紫外線硬化性樹脂等をスピンコートし、紫外線照射装置で紫外線照射することによって厚さが０．１μｍ〜１００μｍ、好ましくは２μｍ〜２０μｍとなるように形成される。なお、第１の保護層１４は、スピンコートの他、グラビア塗布、スプレーコート、ロールコート等の方法によっても成膜することができる。
【００３６】
次に、第２の記録担体１６の製造方法について説明すると、第２の記録担体１６を構成するカバー１７は、図４（Ａ）に示すように、ディスク基板１２と同様に、マスタスタンパ３２を用いて射出成形により成形される。ここで、カバー１７は、厚さが略０．１ｍｍとなるように成形され、一方の面に、マスタスタンパ３２の凹凸パターン３２ａが転写されることによって、凹凸パターン１７ａが成形される。なお、その他の点については、上述したディスク基板１２の製造方法と同様であるため詳細は省略する。
【００３７】
次いで、図４（Ｂ）に示すように、カバー１７の凹凸パターン１７ａ上には、記録層１８が形成され、更に、この記録層１８上には、第２の反射層１９が形成される。記録層１８は、例えば、スピンコート法により２０ｎｍ〜２００ｎｍの膜厚に形成される。更に、図４（Ｃ）に示すように、第２の反射層１９上には、第２の保護層２０が形成される。
【００３８】
図３（Ａ）〜図３（Ｃ）に示すように形成された第１の記録担体１１と図４（Ａ）〜図４（Ｃ）に示すように形成された第２の記録担体１６とは、図２に示すように、接着層２１によって第１の記録担体１１の第１の保護層１４と第２の記録担体１６の第２の保護層２０とが対向するように貼り合わされる。接着層２１は、例えば紫外線硬化型の接着剤であり、少なくとも何れか一方の記録担体の保護層にスクリーン印刷により塗布し、第１の記録担体１１と第２の記録担体１６とを貼り合わせた後、紫外線を照射することによって接着される。
【００３９】
以上のように構成された両面光ディスク１は、第１の記録担体１１と第２の記録担体１６とを貼り合わせることによって、一方の面にコンパクトディスク規格に準拠したデータを標準的記録密度で記録することができ、他方の面に、ブルーレイ・ディスク規格に準拠したデータを高密度記録することができる。したがって、この両面光ディスク１は、コンパクトディスク規格に準拠した記録再生装置であってもブルーレイ・ディスク規格に準拠した記録再生装置の何れでも記録再生をすることができる。
【００４０】
次に、本発明を適用した両面光ディスクの他の例について図５を参照して説明する。この図５に示す両面光ディスク４０は、各信号記録面に関連する文字、図形等で構成された情報が印刷された印刷層が設けられていることを特徴とする。具体的に、この両面光ディスク４０は、コンパクトディスク規格に準拠してデータが記録される第１の記録担体４１と、ブルーレイ・ディスク規格に準拠してデータが記録される第２の記録担体４６とを接着層５２で貼り合わせて構成されている。
【００４１】
コンパクトディスク規格に準拠してデータが記録される第１の記録担体４１は、ここでは、再生専用型である。第１の記録担体４１の一方の面は、記録するデータに対応したピットパターン４２ａが標準的な記録密度となるように形成され、他方の面は、レーザ光の入射する面となるディスク基板４２と、このピットパターン４２ａ上に形成される第１の反射層４３と、この第１の反射層４３上に形成される第１の保護層４４と、この第１の保護層４４上に形成される第１の印刷層４５とが設けられている。
【００４２】
ディスク基板４２のピットパターン４２ａ上に形成される第１の反射層４３は、コンパクトディスク規格で使用される波長が略７８０ｎｍのレーザ光を反射し、他の波長を透過する特性を有する半透明膜で構成されている。また、第１の反射層４３上に形成される第１の保護層４４は、光透過性の樹脂層であり、上述した第１の保護層４４と同様に形成される。第１の反射層４３と第１の保護層４４は、光透過性を有するように形成されることで、第１の印刷層４５の印刷内容をディスク基板４２側から視認することができるようにしている。
【００４３】
第１の保護層４４上に形成される第１の印刷層４５は、紫外線硬化樹脂に染料を含有させたインクによって形成され、例えばシルクスクリーン印刷によって文字や図形等が形成されている。第１の印刷層４５には、第１の記録担体４１に記録するデータに関連した情報が表示され、例えばオーディオデータが記録されているとき、そのデータのイメージ画像、アーティストの写真、そのデータのタイトルが印刷されている。なお、ディスク基板４２と第１の反射層４３との間に上述のような記録層が形成されているとき、第１の印刷層４５は、第１の記録担体４１に関連する情報として、記録可能時間、記録容量、シリアルナンバ等で構成されている。
【００４４】
なお、第１の記録担体４１に関し、その他の点については、上述の第１の記録担体１１と同様なため詳細は省略する。
【００４５】
ブルーレイ・ディスク規格に準拠してデータが記録される第２の記録担体４６は、記録型である。第２の記録担体４６の一方の面は、凹凸パターン４７ａが形成され他方の面がレーザ光が入射する面となるカバー４７と、このカバー４７の凹凸パターン４７ａ上に形成される記録層４８と、この記録層４８上に形成される第２の反射層４９と、この第２の反射層４９上に形成される第２の保護層５０と、この第２の保護層５０上に形成される第２の印刷層５１とが設けられている。この第２の記録担体４６は、コンパクトディスクやＤＶＤより高密度にデータが記録される。
【００４６】
記録層４８上に形成される第２の反射層４９は、ブルーレイ・ディスク規格で使用される波長が略４０５ｎｍのレーザ光を反射し、他の波長を透過する特性を有する半透明膜で構成されている。第２の反射層４９上に形成される第２の保護層５０は、光透過性の樹脂層であり、上述した第２の保護層２０と同様に形成される。第２の反射層４９と第２の保護層５０は、光透過性を有するように形成されることで、第２の印刷層５１の印刷内容をカバー４７側から視認することができるようにしている。
【００４７】
第２の保護層５０上に形成される第２の印刷層５１は、紫外線硬化樹脂に染料を含有させたインクによって形成され、例えばシルクスクリーン印刷によって文字や図形等が形成されている。第２の印刷層５１には、第２の記録担体４６に関連する情報として、記録可能時間、記録容量、シリアルナンバ等が印刷されている。なお、第２の記録担体４６を、記録層４８を設けることなくカバー４７の一方の面に記録するデータに対応したピットパターンを形成して再生専用とするとき、第２の印刷層５１は、記録されたコンテンツデータに関連したタイトル等が記録される。
【００４８】
以上のように構成される第１の記録担体４１と第２の記録担体４６は、互いの保護層４４，５０を対向させて接着層５２によって一体的に接合される。接着層５２は、例えば第１の記録担体４１と第２の記録担体４６とを光学的に分離する機能も有する。更に、第１の記録担体４１と第２の記録担体４６を接合したとき、全体の厚さが、ブルーレイ・ディスク規格で規定されたブルーレイ・ディスクの全体の厚さ１．４ｍｍを超えない厚さとされる。
【００４９】
次に、以上のような両面光ディスク４０の製造方法について図６（Ａ）〜図６（Ｄ）及び図７（Ａ）〜図７（Ｄ）を参照して説明する。先ず、第１の記録担体４１を構成するディスク基板４２は、ポリカーボネート樹脂等の光透過性の合成樹脂を射出成形することにより成形される。具体的に、ディスク基板４２は、図６（Ａ）に示すように、可動金型と固定金型からなる成形金型の一方に、データに対応した凹凸パターン６１ａが時計方向又は反時計方向に螺旋状又は同心円状に形成されたマスタスタンパ６１を配設し、キャビティ内に樹脂材料を射出充填することにより、ディスク基板４２の一方の面にこの凹凸パターン４２ａが転写されて形成される。
【００５０】
次いで、図６（Ｂ）に示すように、射出成形により凹凸のピットパターン４２ａが一方の面に形成されたディスク基板４２には、更に、ピットパターン４２ａ上に、Ａｌ等で構成された第１の反射層４３が形成され、更に、図６（Ｃ）に示すように、第１の反射層４３上には、第１の保護層４４が形成される。
【００５１】
次いで、図６（Ｄ）に示すように、第１の保護層４４上には、シルクスクリーン印刷法等により第１の印刷層４５が形成される。第１の印刷層４５は、単色のインクを重ねて塗布して文字や絵柄を形成し、紫外線を照射してインクを硬化させることにより形成される。
【００５２】
次に、第２の記録担体４６の製造方法について説明すると、第２の記録担体４６を構成するカバー４７は、図７（Ａ）に示すように、ディスク基板４２と同様に、マスタスタンパ６２を用いて射出成形により成形される。ここで、カバー４７は、一方の面に、マスタスタンパ６２の凹凸パターン６２ａが転写されることによって、凹凸パターン４７ａが成形される。なお、その他の点については、上述したディスク基板４２の製造方法と同様であるため詳細は省略する。
【００５３】
次いで、図７（Ｂ）に示すように、カバー４７の凹凸パターン４７ａ上には、記録層４８が形成され、更に、この記録層４８上には、第２の反射層４９が形成される。記録層４８は、例えば、スピンコート法により形成される。更に、図７（Ｃ）に示すように、第２の反射層４９上には、第２の保護層５０が形成される。そして、図７（Ｄ）に示すように、第２の保護層５０上には、シルクスクリーン印刷法等により第１の印刷層４５が形成される。第１の印刷層４５は、単色のインクを重ねて塗布して文字や絵柄を形成し、紫外線を照射してインクを硬化させることにより形成される。
【００５４】
図６（Ａ）〜図６（Ｄ）に示すように形成された第１の記録担体４１と図７（Ａ）〜図７（Ｄ）に示すように形成された第２の記録担体４６とは、図５に示すように、接着層５２によって第１の記録担体１１の第１の印刷層５１と第２の記録担体４６の第２の印刷層５１とが対向するように貼り合わされる。接着層５２は、例えば紫外線硬化型の接着剤であり、少なくとも何れか一方の記録担体の印刷層にスクリーン印刷により塗布し、第１の記録担体４１と第２の記録担体４６とを貼り合わせた後、紫外線を照射することによって接着される。
【００５５】
以上のように構成された両面光ディスク４０は、第１の記録担体４１と第２の記録担体４６とを貼り合わせることによって、一方の面にコンパクトディスク規格に準拠したデータを記録することができ、他方の面に、ブルーレイ・ディスク規格に準拠したデータを記録することができる。したがって、この両面光ディスク４０は、コンパクトディスク規格に準拠した記録再生装置であってもブルーレイ・ディスク規格に準拠した記録再生装置の何れでも記録再生をすることができる。
【００５６】
また、この両面光ディスク４０は、第１の記録担体４１と第２の記録担体４６の内層に印刷層４５，５１を設け、これら印刷層４５，５１上に積層される反射層４３，４９をそれぞれの記録担体で使用する波長のレーザ光を反射し、残りの波長の光を透過するように形成することで、外部より印刷層４５，５１の記載内容を視認することができるようにし、例えば印刷層４５，５１の内容を見ることで、容易に記録面を特定することができる等ユーザの使い勝手を良くすることができる。
【００５７】
次に、本発明を適用した両面光ディスク１，４０の使用例について説明する。ここでは、第１の記録担体１１，４１と第２の記録担体１６，４６はともに再生専用型である。第１の記録担体１１，４１と第２の記録担体１６，４６には、同じコンテンツデータが記録される。そして、第１の記録担体１１，４１には、標準画質の映画等のコンテンツデータが記録される。一方、第２の記録担体１６，４６には、ＨＤ（Ｈｉｇｈ  Ｄｅｆｉｎｉｔｉｏｎ）画質のコンテンツデータが記録される。これらのコンテンツデータはＭＰＥＧ（Ｍｏｔｉｏｎ  Ｐｉｃｔｕｒｅ  Ｅｘｐｅｒｔｓ  Ｇｒｏｕｐ）１やＭＰＥＧ２などの適当な方式に基づいて符号化したものであってもよい。以上の例によれば、第１の記録担体１１と第２の記録担体１６の両方が再生できるユーザは、表示装置に合わせた所望の画質の再生画像を出力することが可能となる。
【００５８】
さらに、上記の例では、第１の記録担体１１，４１に標準画質のコンテンツデータを記録し、第２の記録担体１６，４６にＨＤ画質のコンテンツデータを記録するようにしたが、第１の記録担体１１，４１と第２の記録担体１６，４６にＨＤ画質のコンテンツデータを記録するようにし、第１の記録担体１１，４１に、ＭＰＥＧ４方式やＪＶＴ方式などの高圧縮率での圧縮が可能な符号化方式で符号化したデータを記録し、第２の記録担体１６，４６に、ＭＰＥＧ２方式などのＭＰＥＧ４方式やＪＶＴ（Ｊｏｉｎｔ  Ｖｉｄｅｏ  Ｔｅａｍ）方式などに比して低圧縮率の符号化方式で符号化したデータを記録するようにしてもよい。以上の例によれば、第１の記録担体１１，４１と第２の記録担体１６，４６の一方しか再生できないユーザーでもＨＤ画質を楽しむことができる。
【００５９】
なお、以上の例では、第１の記録担体１１，４１をコンパクトディスク規格に従って形成した例を説明したが、第１の記録担体１１，４１は、ＤＶＤ規格やその他の規格に従って形成するようにしてもよい。
【００６０】
【発明の効果】
以上説明したように、本発明によれば、仕様の異なる第１の記録担体と第２の記録担体とを貼り合わせることによって、それぞれの仕様に従った専用の記録及び／又は再生装置の何れでも記録又は再生することができる光ディスクを提供することができる。
【図面の簡単な説明】
【図１】本発明を適用した両面光ディスクの斜視図である。
【図２】図１に示す両面光ディスクの要部断面図である。
【図３】（Ａ）〜（Ｃ）は、第１の記録担体の製造方法を説明する要部断面図である。
【図４】（Ａ）〜（Ｃ）は、第２の記録担体の製造方法を説明する要部断面図である。
【図５】本発明を適用した両面光ディスクの他の例を説明する要部断面図である。
【図６】（Ａ）〜（Ｃ）は、図５に示す両面光ディスクの第１の記録担体の製造方法を説明する要部断面図である。
【図７】（Ａ）〜（Ｃ）は、図５に示す両面光ディスクの第２の記録担体の製造方法を説明する要部断面図である。
【符号の説明】
１  両面光ディスク、１１  記録担体、１２  ディスク基板、１３  第１の反射層、１４  第１の保護層、１６  第２の記録担体、１７  カバー、１８  記録層、１９    第２の反射層、２０  第２の保護層、２１  接着層
【図１】
2005018859.tif 000003
【図２】
2005018859.tif 000004
【図３】
2005018859.tif 000005
【図４】
2005018859.tif 000006
【図５】
2005018859.tif 000007
【図６】
2005018859.tif 000008
【図７】
2005018859.tif 000009